(57)【要約】【課題】  頭囲の調整を可能とするためのアジャスターを装備するとともに、頭囲の調整を行って使用した場合であってもツバにヨレが生じない、機能性やデザイン性に優れたアジャスター付きハットを提供する。【解決手段】  クラウンと、ツバと、アジャスターと、からなるアジャスター付きハットであって、前記クラウンは、背面の下部に切欠部を設けるとともに、該切欠部の対向する両端の下部に頭周囲幅を自在に調整接続するアジャスターを付設し、前記ツバは、アジャスターによる頭周囲幅の調整に伴うツバの伸縮差を吸収するため、前記クラウンに設けられた切欠部の中央部付近にツバを切欠分離した間隙部を設けた構成である。【選択図】  図３
2018168502.tif 000002
【特許請求の範囲】
【請求項１】
クラウン(10)と、クラウン(10)の周囲を形成する腰部(12)の下周端(14)にクラウン(10)の円筒に略垂直に周設されるツバ(20)と、頭周囲幅の調整のためのアジャスター(30)と、からなるアジャスター付きハット(1)において、
前記クラウン(10)は、背面の下部に切欠部(16)を設けるとともに、該切欠部(16)の対向する両端(18a,18b)の下部に頭周囲幅を自在に調整接続するアジャスター(30)を付設し、
前記ツバ(20)は、アジャスター(30)による頭周囲幅の調整に伴うツバ(20)の伸縮差を吸収するため、前記クラウン(10)に設けられた切欠部(16)の中央部付近にツバ(20)を切欠分離した間隙部(22)を設けたことを特徴とするアジャスター付きハット。
【請求項２】
前記間隙部(22)は、対向するツバ(20)の端部を各々半円形状に切削分離したことを特徴とする請求項１記載のアジャスター付きハット。
【請求項３】
前記アジャスター(30)は、ホック式、スライド式、および面ファスナー式のうちから選択される一のアジャスターからなる事を特徴とする請求項１記載のアジャスター付きハット。
【発明の詳細な説明】
【技術分野】
【０００１】
本発明は、頭部に装着するためのハットに関し、特に、頭囲（頭周囲の幅）を調整することを可能とするためのアジャスターを装備するとともに、頭囲の調整を行って使用した場合であってもツバにヨレが生じない、機能性やデザイン性に優れたアジャスター付きハットに関する。
【背景技術】
【０００２】
従来より、頭部に装着するための装着具である様々な形状の帽子が存在しており、用途に応じて様々な形状や構造の帽子が開発されて使用されている。帽子は、熱中症の防止等を目的とした機能性を重視するものや、お洒落をするためのデザイン性を重視するものなど、多岐に渡っており、形状も用途に応じてハット型やキャップ型など、様々な構造やデザインのものが存在しており、ユーザは、目的に応じて所望する帽子を選択することができる。
【０００３】
帽子の中でも特にハット型のものは、キャップ型のものと比べるとフォーマルな場面で使用されることが多いとともに、カジュアルな着こなしにも活用できる万能なアイテムとして人気がある。このハット型帽子は、サイズが固定されており、人の頭囲の幅または長さに応じて簡易的にハットの頭囲長を調整することは不可能な構成となっている。
【０００４】
このように様々な形状の帽子が存在しているが、現在では、帽子の使い勝手を良くするとともに、デザイン性にも優れた帽子が次々と開発されている。
【０００５】
例えば、特開２００７−３１９２３号公報では、不要なあごひも結束用ループ等がなく、各自の頭のサイズに合わせて頭囲サイズとあごひもサイズを個別かつ自在に調整できる帽子であって、表面と裏面からなるリバーシブル帽子の、表面の両側部および裏面の両側部に独立したひもを設けた構造が開示されている。この構造とすることにより、抜群のフィット感で着用でき、キャップ型帽子、ハット型帽子などあらゆるデザインの帽子に対応可能な構造で外観が良好なリバーシブル帽子を提供することが可能となる旨が示唆されている。
【０００６】
この技術によると、確かに頭囲のサイズの調整が可能なハット型の帽子を提供することが可能となるが、サイズ調整機構の構成が煩雑になる事や、所望するサイズをキープするための別の機構を更に搭載する必要が生じるため、必ずしも利便性に富んだ帽子とは言えなかった。また、紐が垂れさがらざるを得ない構造であるため、デザイン性に優れているとは言えないという問題点もあった。
【０００７】
また、特開２０１６−２０４７７７号公報では、風等の影響によって脱げることのない、ハット型の帽体として、クラウンと、ブリムと、からなるハット型の帽体の両側面のクラウンとブリムの境に、ゴーグル類を固定するための固定バンドを通すためのスリットを設けた構造が開示されている。この構造とすることにより、ゴーグル類を固定するための固定バンドを使用して、着用者の頭部にゴーグルと一体固定することが可能となり、風等の影響によって脱げることがない帽体を構成することが可能となる旨が示唆されている。
【０００８】
この技術によると、確かにハット型の帽子を頭囲に合わせて固定装着することが可能となり、ゴーグルと合わせて装着することによりお洒落をすることが可能となるが、帽体単体では頭部にフィットするように頭囲調整を行う事が不可能であり、ゴーグルで絞め付け過ぎると帽子が変形してデザイン性を損ねるという致命的な問題点があった。
【０００９】
帽子、特にハットは、ただ単に、容易に頭部にフィットさせて被ることを可能にするだけでなく、お洒落に着こなすことが可能な構成であることが要求される。
そこで、構造が複雑になり過ぎず、かつ、使い勝手がよく、かつ、頭囲の調整を行って使用した場合であってもツバにヨレが生じない、機能性やデザイン性に優れたアジャスター付きハットの開発が望まれていた。
【特許文献１】特開２００７−３１９２３号公報
【特許文献２】特開２０１６−２０４７７７号公報
【発明の開示】
【発明が解決しようとする課題】
【００１０】
本発明は上記問題を解決するために、頭部に装着するためのハットであって、特に、頭囲の調整を可能とするためのアジャスターを装備するとともに、頭囲の調整を行った上で使用した場合であってもツバにヨレが生じない、機能性やデザイン性に優れたアジャスター付きハットを提供することを目的とする。
【課題を解決するための手段】
【００１１】
上記の目的を達成するために本発明に係るアジャスター付きハットは、クラウンと、クラウンの周囲を形成する腰部の下周端にクラウンの円筒に略垂直に周設されるツバと、頭周囲幅の調整のためのアジャスターと、からなるアジャスター付きハットであって、前記クラウンは、背面の下部に切欠部を設けるとともに、該切欠部の対向する両端の下部に頭周囲幅を自在に調整接続するアジャスターを付設し、前記ツバは、アジャスターによる頭周囲幅の調整に伴うツバの伸縮差を吸収するため、前記クラウンに設けられた切欠部の中央部付近にツバを切欠分離した間隙部を設けた構成である。
【００１２】
また、前記間隙部は、対向するツバの端部を各々半円形状に切削分離した構成である。
更に、前記アジャスターは、ホック式、スライド式、および面ファスナー式のうちから選択される一のアジャスターからなる構成である。
【発明の効果】
【００１３】
本発明は、上記詳述した通りの構成であるので、以下のような効果がある。
１．ハット本体の背面の下部に切欠部を設けたため、アジャスターによる頭囲の調整を行ってもクラウン側面のヨレを最小限に抑えることが可能となる。また、切欠部の位置でツバを切欠分離する間隙部を設けたため、ツバの伸縮差を吸収することが可能となるツバのヨレ等を防止することが可能となる。
【００１４】
２．ツバの端部を各々半円形状に切削分離することにより間隙部を形成したため、アジャスターを締めることによって頭囲を調整する際に、半円状が重なることでツバのヨレを防止することが可能となる。
３．アジャスターを、ホック式、スライド式または面ファスナー式としたため、用途に応じた任意のアジャスターを選択して使用することが可能となる。
【発明を実施するための最良の形態】
【００１５】
以下、本発明に係るアジャスター付きハットを、図面に示す実施例に基づいて詳細に説明する。図１は、本発明に係るアジャスター付きハットの平面図であり、図２は、アジャスター付きハットの正面図である。図３は、アジャスター付きハットの背面図である。
【００１６】
本発明のアジャスター付きハット１は、クラウン１０と、ツバ２０と、アジャスター３０とからなり、アジャスター３０によってハットの頭囲調整を可能とするとともに、頭囲の調整を行ってもツバにヨレが生じないアジャスター付きハットである。
【００１７】
クラウン１０は、図１に示すように、ハットの山の部分であって、アジャスター付きハット１を使用した際に頭部に被さる部位であり、平均的な頭囲と略同サイズの大きさからなる。クラウン１０は、頭頂部分を構成するトップ１１と、クラウンの周囲を形成する基部である腰部１２とからなる。本実施例では、トップ１１の縦が約１８ｃｍ、横が約１１ｃｍからなり、腰部１２の高さが約１１ｃｍからなる構成としているが、これに限定されることはなく、任意のサイズでクラウン１０を構成することが可能である。
【００１８】
ツバ２０は、ハットの日除け部分であり、図１および図２に示すように、クラウン１０の腰部１２の下周端１４に設けられる部材で、クラウン１０の円筒を形成する腰部１２に対して略垂直に周設される。本実施例では、デザイン性や機能性の観点から、ツバ２０の幅を約４．５ｃｍとし、少し上向きに沿った形状としているが、これに限定されることはなく、所望するデザインに応じて任意の幅や形状によってツバ２０を構成することが可能である。
【００１９】
クラウン１０は、図３に示すように、切欠部１６が設けられている。切欠部１６は、クラウン１０の背面の下部に切設される切り欠きであり、本実施例では略半円状に切設される構成となっているが、これに限定されることはなく、三角形、四角形等デザインに応じて任意の形状を選択することはもちろん可能である。なお、切欠部１６は、後述するアジャスター３０による頭囲調整によってクラウン１０の変形を極力抑制するとともに優れたデザイン性を確保するため、高さ約５ｃｍ、幅約９．５ｃｍの半円形状であることが望ましいが、この形状・大きさに限定するものではない。
【００２０】
本発明に係るアジャスター付きハット１には、更に、アジャスター３０が設置されている。アジャスター３０は、頭周囲幅の調整に用いられる部材であり、図３に示すように、クラウン１０の下周端１４であって、切欠部１６の対向する両端１８ａ・１８ｂの下部に、該両端１８ａ・１８ｂ間を近接・離隔自在となるように接続する。また、両端１８ａ・１８ｂ間の間隔を所望する長さで固定可能に設置される構成である。
【００２１】
アジャスター３０は、本実施例では、クラウン１０に設けられた帽帯１９に重なるまたは延設するようにしてクラウン１０の下周端１４に付加設置する構成である。この構成とすることにより、アジャスター３０をより強固にクラウン１０に接続することが可能となる。なお、帽帯１９を設けるかどうかはデザイン性に応じて任意に選択可能であり、帽帯１９を設けない場合には、アジャスター３０をクラウン１０に直接接続する構成とする事も可能である。
【００２２】
これらの切欠部１６とアジャスター３０を設ける構成とすることにより、クラウン１０の下周端１４の周囲長が頭囲にフィットする長さとなるようにアジャスター３０を調整し、固定することが可能となり、通常は不可能であるハットの頭囲調整が可能となる。
【００２３】
更に、ツバ２０は、図１および図３に示すように、クラウン１０に設けられた切欠部１６の切削部分の略中央部の位置で切断分離する構成である。これにより、ツバ２０を分断する間隙部２２が形成される。この構成とすることにより、アジャスター３０による頭周囲幅の調整に伴って生じるツバ２０の伸縮差を吸収することが可能となる。すなわち、アジャスター３０による頭囲調整を行っても、ツバ２０がよれたり、ぴんと張り過ぎたりしないように出来るため、アジャスター３０使用時のハットの変形を防止でき、自然な使用感を得ることが可能となる。
【００２４】
間隙部２２は、図１および図３に示すように、本実施例では、対向するツバ２０の端部を各々半円形状に切削して切断分離する構成である。すなわち、分離したツバ２０の端部を半円形状とし、該半円形状の各端部が対向する構成となっている。この構成とすることにより、アジャスター３０を締めることによって頭囲調整を行う際に、クラウン１０およびツバ２０の変形を抑制することが可能となる。
【００２５】
すなわち、アジャスター３０を切欠部１６の対向する両端１８ａ・１８ｂ間が近接する方向に調整する（頭囲を縮小する）場合、半円形状の各端部が重なるため、ツバ２０がよれることを防止することが可能となり、ハット自体の優れたデザイン性を維持することが可能となる。また、アジャスター３０を切欠部１６の対向する両端１８ａ・１８ｂ間が離隔する方向に調整する（頭囲を拡大する）場合、該半円形状の各端部が離れる方向に移動するため、すっきりとしたクールな印象を与える形状となり、後ろから見た際の優れたデザイン性を維持することが可能となる。
【００２６】
すなわち、本発明に係るアジャスター付きハット１を上記構成とすることにより、機能性とデザイン性を両立させたお洒落なアジャスター付きハットを提供することが可能となった。
【００２７】
なお、アジャスター３０が調整不要な位置（ニュートラルな位置）で固定する場合、ツバ２０の半円形状の各端部がやや離れた状態となるように間隙部２２を構成するのが望ましい。クラウン１０の頭囲は、前述のように、平均的な頭囲と略同サイズの大きさからなるため、一般的な頭囲の者がアジャスター付きハット１を装着する場合、アジャスター３０による頭囲調整は不要となる。この場合、ツバ２０の半円形状の各端部がやや離れた形状であると、デザイン的にクールでお洒落な印象を与えることが可能となり、高いデザイン性を最大限に活かすことが可能となる。
【００２８】
アジャスター３０は、ホック式、スライド式、または面ファスナー式などあらゆる構成の接合部材をアジャスターとして採用することが可能である。この構成とすることにより、用途や好みに応じた任意のアジャスターを選択して使用することが可能となる。本実施例では、図３に示すように、嵌合するホック式を使用しているが、これに限定されることはなく、他の構造のアジャスターを適宜選択して使用することが可能である。
【図面の簡単な説明】
【００２９】
【図１】本発明に係るアジャスター付きハットの平面図
【図２】アジャスター付きハットの正面図
【図３】アジャスター付きハットの背面図
【符号の説明】
【００３０】
１    アジャスター付きハット
１０    クラウン
１１    トップ
１２    腰部
１４    下周端
１６    切欠部
１８ａ・１８ｂ    両端
１９    帽帯
２０    ツバ
２２    間隙部
３０    アジャスター
【図１】
2018168502.tif 000003
【図２】
2018168502.tif 000004
【図３】
2018168502.tif 000005